(57)【要約】【課題】  既存ユニットの機能に加えて所定の機能ユニットが拡張された場合に、既存機能を使用不可とすることなく、既存ユニットの機能を利用しつつ、所定の機能ユニットをも共存させても違和感なく機能拡張したシステムとして機能させることである。【解決手段】  増設パネル部１０７の拡張によって既存機能をアップグレード可能な画像処理装置において、増設パネル制御処理モジュール４０１Ｍが増設パネル部１０７の拡張状態を認識し、該認識結果に基づいて、パネル制御処理モジュールＭ４０２が既存機能となるパネル部１０４に対する表示制御方法を切り替え制御する構成を特徴とする。【選択図】図１０
2005262792.tif 000002
【特許請求の範囲】
【請求項１】
所定の機能ユニットの拡張によって既存ユニットの機能をアップグレード可能な画像処理装置において、
前記既存ユニットの制御を行う制御手段と、
前記所定の機能ユニットの拡張状態を認識する認識手段とを有し、
前記制御手段は、前記認識手段の認識結果に基づいて、前記既存ユニットの制御方法を切り替えることを特徴とする画像処理装置。
【請求項２】
前記制御手段は、前記認識手段により前記所定の機能ユニットが拡張されていると認識した場合に、前記所定の機能ユニットの機能を補完する制御または前記既存ユニットの機能を抑制する制御を行なうことを特徴とする請求項１記載の画像処理装置。
【請求項３】
前記既存ユニットは、第１の表示装置であって、前記所定の機能ユニットは、前記第１の表示装置より高機能な表示仕様を備える第２の表示装置であることを特徴とする請求項１または２記載の画像処理装置。
【請求項４】
前記補完する制御は、機能処理に伴って通知すべき重要なメッセージを前記第１の表示装置に対して強調表示制御することを特徴とする請求項１〜３のいずれかに記載の画像処理装置。
【請求項５】
前記補完する制御は、緊急度の高いメッセージを前記第１の表示装置に対して表示制御することを特徴とする請求項１〜４のいずれかに記載の画像処理装置。
【請求項６】
前記補完する制御は、重要度が低いメッセージを前記第１の表示装置に対して表示することを特徴とする請求項１〜５のいずれかに記載の画像処理装置。
【請求項７】
前記補完する制御は、省電力モード時の制御方法を切り替えることを特徴とする請求項１〜６のいずれかに記載の画像処理装置。
【請求項８】
前記第１の表示装置は、キャラクタ表示可能な表示装置であって、前記第２の表示装置は、イメージを表示可能な表示装置であることを特徴とする請求項１〜７のいずれかに記載の画像処理装置。
【請求項９】
前記既存ユニットは、第１の操作入力装置であって、前記所定の機能ユニットは、前記第１の操作入力装置より高機能な第２の操作入力装置であることを特徴とする請求項１〜８のいずれかに記載の画像処理装置。
【請求項１０】
前記第１の操作入力装置は、複数個のスイッチを装備した第１のスイッチ装置であり、前記第２の操作入力装置は、前記第１のスイッチ装置よりスイッチ数が多い第２のスイッチ装置と、タッチパネルであることを特徴とする請求項１〜９のいずれかに記載の画像処理装置。
【請求項１１】
前記制御手段は、前記認識手段により前記所定の機能ユニットが拡張されていると認識した場合に、前記既存機能の機能を抑制する制御を行なうことを特徴とする請求項１〜１０のいずれかに記載の画像処理装置。
【請求項１２】
前記所定の機能ユニットは、前記所定の機能ユニットの機能とは異なる他の機能ユニットと一体となって複合化可能であることを特徴とする請求項１〜１０のいずれかに記載の画像処理装置。
【請求項１３】
前記他の機能ユニットは、スキャナユニットであることを特徴とする請求項１２記載の画像処理装置。
【請求項１４】
所定の機能ユニットの拡張によって既存ユニットの機能をアップグレード可能な画像処理装置における画像処理方法であって、
前記所定の機能ユニットの拡張状態を認識する認識ステップと、
前記認識ステップの認識結果に基づいて、前記既存ユニットの制御方法を切り替える制御ステップと、
を有することを特徴とする画像処理方法。
【請求項１５】
前記制御ステップは、前記認識ステップにより前記所定の機能ユニットが拡張されていると認識した場合に、前記所定の機能ユニットの機能を補完する制御または前記既存ユニットの機能を抑制する制御を行なうことを特徴とする請求項１４記載の画像処理方法。
【請求項１６】
前記既存ユニットは、第１の表示装置であって、前記所定の機能ユニットは、前記第１の表示装置より高機能な表示仕様を備える第２の表示装置であることを特徴とする請求項１４または１５記載の画像処理方法。
【請求項１７】
前記補完する制御は、機能処理に伴って通知すべき重要なメッセージを前記第１の表示装置に対して強調表示制御することを特徴とする請求項１４〜１６のいずれかに記載の画像処理方法。
【請求項１８】
前記補完する制御は、緊急度の高いメッセージを前記第１の表示装置に対して表示制御することを特徴とする請求項１４〜１６のいずれかに記載の画像処理方法。
【請求項１９】
前記補完する制御は、重要度が低いメッセージを前記第１の表示装置に対して表示することを特徴とする請求項１４〜１６のいずれかに記載の画像処理方法。
【請求項２０】
前記補完する制御は、省電力モード時の制御方法を切り替えることを特徴とする請求項１４〜１６のいずれかに記載の画像処理方法。
【請求項２１】
前記第１の表示装置は、キャラクタ表示可能な表示装置であって、前記第２の表示装置は、イメージを表示可能な表示装置であることを特徴とする請求項１４〜２０のいずれかに記載の画像処理方法。
【請求項２２】
前記既存ユニットは、第１の操作入力装置であって、前記所定の機能ユニットは、前記操作入力装置より高機能な第２の操作入力装置であることを特徴とする請求項１４〜２１のいずれかに記載の画像処理方法。
【請求項２３】
前記第１の操作入力装置は、複数個のスイッチを装備した第１のスイッチ装置であり、前記第２の操作入力装置は、前記第１のスイッチ装置よりスイッチ数が多い第２のスイッチ装置と、タッチパネルであることを特徴とする請求項１４〜２２のいずれかに記載の画像処理方法。
【請求項２４】
前記制御手段は、前記認識手段により前記所定の機能ユニットが拡張されていると認識した場合に、前記既存ユニットの機能を抑制する制御を行なうことを特徴とする請求項１４〜２３のいずれかに記載の画像処理方法。
【請求項２５】
前記所定の機能ユニットは、前記所定の機能ユニットの機能とは異なる他の機能ユニットと一体となって複合化可能であることを特徴とする請求項１４〜２４のいずれかに記載の画像処理方法。
【請求項２６】
前記他の機能ユニットは、スキャナユニットであることを特徴とする請求項２５記載の画像処理方法。
【請求項２７】
請求項１４〜２６のいずれかに記載の画像処理方法を実行させるためのプログラムを格納したことを特徴とするコンピュータが読み取り可能な記憶媒体。
【請求項２８】
請求項１４〜２６のいずれかに記載の画像処理方法を実行させることを特徴とするプログラム。
【発明の詳細な説明】
【技術分野】
【０００１】
本発明は、既存機能に対して所定の機能を拡張可能な画像処理装置および画像処理方法およびコンピュータが読み取り可能なプログラムを格納した記憶媒体およびプログラムに関するものである。
【背景技術】
【０００２】
近年、オフィスやいわゆるＳＯＨＯにおいてレーザビームプリンタ等の印刷装置は、広く様々な様式によって普及してきており、廉価機を個人別に使用するスタイルとともに、ステイプル装置等のフィニッシング機能など、より高機能な機器をオフィスの共有印刷装置として用いるスタイルもビジネスワークにおいて重要な要素となってきている。
【０００３】
また、最近では、印刷装置に印刷データを蓄積して、必要なタイミングで即時に印刷を行なう蓄積印刷などの機能も一般化しつつあり、スキャナ等のユニットを追加装着することによって複写機能を提供する機種も提案されている。
【０００４】
さらに、高機能を使い易く提供するために、パネル等の操作性もより高機能なものが求められるようになっている。
【０００５】
こうした状況の中で、例えばパネルを予めユニットとして交換できるような構成にすることによって、例えば、プリンタに新たにスキャナユニットを追加したことで複写機能を新たに提供できるようにした印刷装置が最近になって提案されている（例えば、特許文献１参照。）。
【特許文献１】特開２００１―５３９２１号公報
【発明の開示】
【発明が解決しようとする課題】
【０００６】
前述のように、パネルをプリンタにもスキャナユニットにも着脱可能にする構成以外にも、例えばプリンタに予め設けられているパネルに加えて増設パネルを設けることで新たに追加された機能を有効に活用する方法も考えられる。
【０００７】
しかし、増設パネルを設けた後にも、予めプリンタに設けられているパネルは動作可能な状態であるので、増設パネルを含めて複数の操作パネルを１つの画像処理システムとして備えることが、ユーザ（操作者）による誤動作を招きやすいという問題がある。
【０００８】
本発明は、上記の問題点を解決するためになされたもので、本発明の目的は、所定の機能ユニットの拡張によって既存ユニットの機能をアップグレード可能な画像処理装置において、所定の機能ユニットの拡張状態を認識し、該認識結果に基づいて、前記既存機能の制御方法を切り替え制御することにより、既存ユニットの機能に加えて所定の機能ユニットが拡張された場合に、既存ユニットの機能を使用不可とすることなく、既存ユニットの機能を補完した形態で利用しつつ、所定の機能ユニットをも共存させても違和感なく機能拡張したシステムとして機能させることができる画像処理装置および画像処理方法およびコンピュータが読み取り可能なプログラムを格納した記憶媒体およびプログラムを提供することである。
【課題を解決するための手段】
【０００９】
本発明は、所定の機能ユニットの拡張によって既存ユニットの機能をアップグレード可能な画像処理装置において、前記既存ユニットの制御を行う制御手段と、前記所定の機能ユニットの拡張状態を認識する認識手段とを有し、前記制御手段は、前記認識手段の認識結果に基づいて、前記既存機能の制御方法を切り替えることを特徴とする。
【００１０】
また、所定の機能ユニットの拡張によって既存ユニットの機能をアップグレード可能な画像処理装置における画像処理方法であって、前記所定の機能ユニットの拡張状態を認識する認識ステップと、前記認識ステップの認識結果に基づいて、前記既存ユニットの制御方法を切り替える制御ステップとを有することを特徴とする。
【発明の効果】
【００１１】
本発明によれば、既存ユニットの機能に加えて所定の機能ユニットが拡張された場合に、既存ユニットの機能を使用不可とすることなく、既存ユニットの機能を補完した形態で利用しつつ、所定の機能ユニットをも共存させても違和感なく機能拡張したシステムとして機能させることができるという効果を奏する。
【発明を実施するための最良の形態】
【００１２】
次に本発明を実施するための最良の形態について図面を参照して説明する。
【００１３】
〔第１実施形態〕
図１は、本発明の第１実施形態を示す画像処理装置を適用可能な画像処理システムの構成を説明するブロック図である。
【００１４】
図１において、１０１はホストコンピュータ等の外部機器、１０２は本実施形態を適用したレーザビームプリンタ（以降「プリンタ」と称する）、１０６は着脱可能な増設パネルユニットである。１０５はエンジン部で、イメージデータ（２値または多値データ）に基づいて、周知の電子写真プロセスによって感光ドラム上に潜像を形成し、用紙に転写して定着し印字を行う。
【００１５】
１０３はコントローラ部で、エンジン部１０５に接続され、ホストコンピュータ等の外部機器１０１から送られるコードデータ（ＥＳＣコード、各種ＰＤＬ等）を受け、このコードデータに基づいてドットデータからなるページ情報を生成しエンジン部１０５に対して所定のインタフェース手段によってイメージデータを送信する。
【００１６】
１０４はパネル部で、ユーザ（操作者）とのインタフェースを行なうとともに、不図示のキャラクタ表示可能な液晶パネルと複数のスイッチとで構成される。ユーザは、パネル部１０４を操作することによって、プリンタ１０２に所定の動作を指示することができる。
【００１７】
１０７は増設パネル部で、増設パネルユニット１０６を制御するため、不図示のタッチセンサを有する液晶パネルと、キーボードで構成される。ユーザは、パネル部１０４を操作することによって、プリンタ１０２に所定の動作を指示することができる。
【００１８】
図２は、図１に示したエンジン部１０５の構成を説明する概略断面図である。
【００１９】
図２において、２０１はプリンタ匡体である。２０２は操作パネルであり、操作のためのスイッチ及びＬＥＤ表示器、ＬＣＤ表示器が配されている。これは図１において示したパネル部１０４の側面に対応する。
【００２０】
２９０は増設パネルユニットで、操作のためのスイッチ及びＬＥＤ表示器、ＬＣＤ表示器、タッチセンサ付液晶表示器とキーボードが配されている。これは図１において示した増設パネルユニット１０６の側面に対応する。
【００２１】
２０３は制御ボード収納部で、プリンタの印字プロセス制御を実行するエンジン部１０５及び、プリンタ全体の制御とホストコンピュータからのデータを解析しイメージデータに変換するコントローラ部１０３が収納される。２１０は用紙を保持する用紙カセットであり、不図示の仕切り板によって電気的に用紙サイズを検知する機構を有する。２１１はカセット給紙クラッチであり、用紙カセット２１０上に載置された用紙の最上位の一枚のみを分離し、不図示の駆動手段によって分離した用紙を給紙ローラ２１２まで搬送させるカムでもあり、給紙の度に間欠的に回転し、１回転に対応して１枚の用紙を給紙する。２１４はレジストシャッタであり、用紙を押圧して給紙を停止させる。給紙ローラ２１２は、用紙の先端部をレジストシャッタ２１４まで搬送する。
【００２２】
２８０は用紙を保持する用紙カセットであり、不図示の仕切り板によって電気的に用紙サイズを検知する機構を有する。２８３はカセット給紙クラッチであり、用紙カセット２８０上に載置された用紙の最上位の一枚のみを分離し、不図示の駆動手段によって分離した用紙を給紙ローラ２１２まで搬送させるカムでもあり、給紙の度に間欠的に回転し、１回転に対応して１枚の用紙を給紙する。
【００２３】
２８１は用紙を保持する用紙カセットであり、不図示の仕切り板によって電気的に用紙サイズを検知する機構を有する。２８４はカセット給紙クラッチであり、用紙カセット２８０上に載置された用紙の最上位の一枚のみを分離し、不図示の駆動手段によって分離した用紙を給紙ローラ２１２まで搬送させるカムでもあり、給紙の度に間欠的に回転し、１回転に対応して１枚の用紙を給紙する。
【００２４】
２１９は手差し用トレイであり、２１３は手差し給紙クラッチである。手差し給紙クラッチ２１３は用紙の先端をレジストシャッタ２１４まで搬送する。
【００２５】
以上のような構成によって用紙カセット２１０、２８０、２８１及び手差し給紙用トレイ２１９から選択的に用紙を給紙することが可能となる。
【００２６】
エンジン部１０５は、コントローラ部１０３と所定の通信プロトコルによって通信を行い、コントローラ部１０３からの指示によって、カセット２１０、２８０，２８１または手指し用トレイ２１９のなかから給紙手段を決定し、印字開始指示によって上記のとおり給紙を開始し用紙をレジストシャッタ２１４まで搬送する。
【００２７】
２０４はＭ色カートリッジであり、Ｍ色感光ドラム２０５及び、不図示のトナー保持部を含む現像ユニット２０６を有する。２０７はＭ色用レーザユニットであり、不図示のレーザドライバ、回転多面鏡、反射ミラー、ビームディテクタを含むものである。
【００２８】
２６０はＣ色カートリッジであり、Ｃ色感光ドラム２６１及び、不図示のトナー保持部を含む現像ユニット２６２を有する。２６３はＣ色用レーザユニットであり、不図示のレーザドライバ、回転多面鏡、反射ミラー、ビームディテクタを含むものである。
【００２９】
２６４はＹ色カートリッジであり、Ｙ色感光ドラム２６５及び、不図示のトナー保持部を含む現像ユニット２６６を有する。２６７はＹ色用レーザユニットであり、不図示のレーザドライバ、回転多面鏡、反射ミラー、ビームディテクタを含むものである。
【００３０】
２６８はＫ色カートリッジであり、Ｋ色感光ドラム２６９及び、不図示のトナー保持部を含む現像ユニット２７０を有する。２７１はＫ色用レーザユニットであり、不図示のレーザドライバ、回転多面鏡、反射ミラー、ビームディテクタを含むものである。
【００３１】
２１５は用紙の搬送と画像転写を補助するための搬送ベルトである。
【００３２】
レジストシャッタ２１４まで用紙が搬送されると、コントローラ部１０３から送られたイメージデータに応じてＭ色用レーザユニット２０７内のレーザドライバによってオンオフ駆動される不図示の半導体レーザから発射されるＭ色用レーザビームは、回転多面鏡により主走査方向に走査され反射ミラーを介してＭ色感光ドラム２０５上に導かれ結像し、主走査方向に走査して主走査ライン上にＭ色潜像を形成する。Ｃ色、Ｙ色、Ｋ色も同様にそれぞれＣ色潜像、Ｙ色潜像、Ｋ色潜像を形成する。
【００３３】
上記Ｍ色用レーザビームの発射に同期してレジストシャッタ２１４を上方に駆動し、用紙の搬送をＭ色用レーザビームの副走査に同期させる。Ｍ色用レーザビームの走査開始時に配置されたビームディテクタは、Ｍ色用レーザビームを検出することによって主走査の画像書きだしタイミングを決定するためのＭ色同期信号を形成し、コントローラ部１０３に送る。
【００３４】
Ｃ色、Ｙ色、Ｋ色も同様にそれぞれＣ色同期信号、Ｙ色同期信号、Ｋ色同期信号を形成するが、そのタイミングは副走査速度（用紙搬送速度）にあわせてそれぞれ遅延され用紙に対しての転写位置が調整される。
【００３５】
その後用紙は、搬送ベルト２１５によって搬送され、感光ドラム２０５，２６１，２６５，２６９は不図示のモータによって回転駆動され、現像ユニット２０６，２６２，２６６，２７０によってトナー像として顕像化された後、用紙上に転写される。トナー像が転写された用紙はその後、定着ローラ２１６によりトナー像が加熱定着され、排紙ローラ２１７によりプリンタ筐体の排紙トレイに排紙される。
【００３６】
図３は、図１に示したコントローラ部１０３の構成を説明するブロック図であり、図１と同一のものには同一の符号を付してある。
【００３７】
図３において、３０１はパネルインタフェース部で、パネル部１０４とのデータ通信によって、操作者からの諸設定、指示をパネル部１０４から受け取る。３０２はホストコンピュータ等の外部機器１０１との信号の入出力部であるホストインタフェース部であり、印字データを送受するためのデータ用ポート、制御情報を専用に送受するための制御用ポートを論理通信の階層で実現する。送受信データは各々専用のバッファメモリに所定ブロック単位で格納可能であり、ＣＰＵ３０９とのデータ授受に用いることができる。
【００３８】
３０６は前記エンジン部１０５との信号の入出力部であるエンジンインタフェース部であり、不図示の出力バッファレジスタからデータ信号送出を行なうとともにエンジン部１０５との通信制御を行なう。３０４は圧縮データを伸長するためのデータ伸長部である。後述するＲＡＭ３０７に格納された任意の圧縮データを、ライン単位にイメージデータに伸長し、後述するＤＭＡ制御部３０８によってライン単位にエンジンインタフェース部３０６に転送することによってライン単位に伸長処理と転送処理を逐次処理することが可能な構成になっている。
【００３９】
３０９は前記コントローラ部１０３全体の制御を司るＣＰＵ、３０３は前記ＣＰＵ３０９の制御コードを格納するＲＯＭであり、３０７は前記ＣＰＵ３０９の使用する一時記憶用ＲＡＭである。３１０は不揮発性のメモリ手段であるＥＥＰＲＯＭである。
【００４０】
３０８はＤＭＡ制御部であり、ＣＰＵ３０９からの指示によりＲＡＭ３０７内のイメージデータを、エンジンインタフェース部３０６に転送、あるいはＲＡＭ３０７の任意の圧縮データを、データ伸長部３０４に転送、あるいはデータ伸長部３０４から出力されるイメージデータをエンジンインタフェース部３０６に転送することができる。
【００４１】
３１１はアドレスバス及びデータバスを持つシステムバスである。パネルインタフェース部３０１、ホストインタフェース部３０２、ＲＯＭ３０３、エンジンインタフェース部３０６、ＲＡＭ３０７、ＤＭＡ制御部３０８、ＣＰＵ３０９及びＥＥＰＲＯＭ３１０は、各々システムバス３１１に接続され、システムバス３１１上にある全ての機能部にアクセス可能である。
【００４２】
３１２は汎用外部バスコントローラであり、３１３は汎用外部バスである。本実施形態では汎用外部バスとしてＩＤＥ準拠バスを用いるが、ＳＣＳＩＩ等の他の方式であっても本実施形態の効果に変わりは無い。
【００４３】
増設パネル部１０７は、物理的に固定されるとともに、電気的には汎用外部バス３１３に接続されることによって装着される。汎用外部バス３１３によってシステムバス３１１に接続され、システムバス３１１に接続された各ユニットからアクセスを可能にしている。
【００４４】
ＣＰＵ３０９を制御する制御コードは、不図示のシステムクロックによってタスクと称されるロードモジュール単位に時分割制御するＯＳと、機能単位に動作する複数のロードモジュール（タスク）によって構成されるものとする。
【００４５】
図４は、図１に示したパネル部１０４の制御構成を説明するブロック図であり、図１と同一のものには同一の符号を付してある。
【００４６】
図４において、３２４はＬＣＤ制御部で、ＬＣＤ表示を制御する。ＬＣＤ制御部３２４は、キャラクタジェネレータ（文字の表示用ビットマップの発生機能）を内蔵しており、文字コードを入力として受け付けてＬＣＤ表示を行なう。
【００４７】
３２５はキーセンサ部で、操作者のスイッチキー操作を電気信号に変換して、論理的な情報に置き換える。３２６はＬＥＤ制御部で、ＬＥＤの点灯消灯を制御する。
【００４８】
３２７はパネルインタフェース部で、前記パネルインタフェース部３０１との物理的な通信階層を制御する。３２１はＣＰＵで、パネル部１０４全体の制御を司る。３２３はＲＯＭで、ＣＰＵ３０９の制御コードを格納する。３２２はＲＡＭで、ＣＰＵ３２１の使用する一時記憶用のメモリである。
【００４９】
３３１はシステムバスで、アドレスバス及びデータバスを備え、ＬＣＤ制御部３２４、キーセンサ部３２５、ＬＥＤ制御部３２６、パネルインタフェース部３２７、ＲＯＭ３２３、ＲＡＭ３２２、ＣＰＵ３２１は、各々システムバス３３１に接続され、システムバス３３１上にある全ての機能部にアクセス可能である。
【００５０】
ＣＰＵ３２１を制御する制御コードは、不図示のシステムクロックによってタスクと称されるロードモジュール単位に時分割制御するＯＳと、機能単位に動作する複数のロードモジュール（タスク）によって構成されるものとする。
【００５１】
図５は、図１に示した増設パネル部１０７の制御構成を説明するブロック図であり、図１と同一のものには同一の符号を付してある。
【００５２】
図５において、３４４は液晶表示を制御するための液晶制御部である。液晶制御部３４４は、ＶＲＡＭ（イメージ表示用のイメージ格納用ＲＡＭ）を内蔵しており、イメージデータを入力として受け付けて、液晶表示を行なう。
【００５３】
３４５はキーセンサ部で、操作者のスイッチキー操作を電気信号に変換して、論理的な情報に置き換える。３４６はＬＥＤ制御部で、ＬＥＤの点灯消灯を制御する。３４７はタッチパネルセンサ部で、操作者のタッチパネル操作を電気信号に変換して、論理的な情報に置き換える。３４８は汎用外部バスコントローラであり、本実施形態では汎用外部バスコントローラ３４８を介してコントローラ部１０３と接続される。
【００５４】
３４１はＣＰＵで、増設パネル部１０７全体の制御を司る。３４３はＲＯＭで、ＣＰＵ３０９の制御コードを格納するともに、文字フォントや表示用のイメージデータも記憶されている。３４２はＲＡＭで、ＣＰＵ３４１の使用する一時記憶用メモリとして機能する。
【００５５】
３５１はアドレスバス及びデータバスを持つシステムバスであり、液晶制御部３４４、キーセンサ部３４５、ＬＥＤ制御部３４６、タッチパネルセンサ部３４７、汎用外部バスコントローラ３４８、ＲＯＭ３４３、ＲＡＭ３４２、ＣＰＵ３４１は、各々システムバス３５１に接続され、システムバス３５１上にある全ての機能部にアクセス可能である。
【００５６】
ＣＰＵ３４１を制御する制御コードは、不図示のシステムクロックによってタスクと称されるロードモジュール単位に時分割制御するＯＳと、機能単位に動作する複数のロードモジュール（タスク）によって構成されるものとする。
【００５７】
図６は、図１に示したパネル部１０４の一例を示す平面図であり、例えば操作者から視た状態に対応する。図７は、図６に示したパネル部１０４の要部拡大平面図である。
【００５８】
図６において、４０１はＬＣＤ表示部で、ＬＣＤ制御部３２４によって発生される文字を表示する。図７に示すように、２行１６列の文字を同時に表示することが可能である。４０２は開始／停止キーであり、操作者のキー押下毎に印刷の開始と停止を切り替える。開始／停止キー４０２には、不図示のＬＥＤが内蔵されており、開始状態においてはＬＥＤが点灯状態となり、停止状態においては消灯状態となる。ＣＰＵ３２１は、キーセンサ部３２５を介して、操作者による開始／停止キー４０２に対する操作を認識し、ＬＥＤ制御部３２６を介して点灯消灯を行なう。
【００５９】
４０３はキャンセルキーであり、操作者のキー押下によって、実行中の印刷ジョブを中断キャンセルする。ＣＰＵ３２１は、キーセンサ部３２５を介して、操作者によるキャンセルキー４０３に対する操作を認識する。
【００６０】
４０４は上キー、下キー左キー、右キーを含む上下左右キー群であり、操作者のキー押下によって、メニュー操作等においてＬＣＤ表示部４０１の表示画面を切り替える。ＣＰＵ３２１は、キーセンサ部３２５を介して、操作者による上下左右キー群４０４に対する操作を認識する。
【００６１】
図８は、図１に示した増設パネル部１０７の要部を説明する平面図であり、本実施形態の増設パネル部１０７の操作者から視た状態に対応する。図９は、図８に示した液晶表示部に表示されるＵＩの一例を示す図である。
【００６２】
図８において、４２１は、液晶制御部３４４によって制御されるイメージを表示する液晶表示部である。図９に示すように、任意のイメージを表示することが可能である。
【００６３】
４２２はキャンセルキーであり、操作者のキー押下によって、実行中の印刷ジョブを中断キャンセルする。ＣＰＵ３４１は、キーセンサ部３４５を介して、操作者によるキャンセルキー４２２に対する操作を認識する。４２３はテンキー群であり、周知のキーを含んでいる。ＣＰＵ３４１は、キーセンサ部３４５を介して、操作者によるテンキー群４２３に対する操作を認識する。
【００６４】
４２４は決定／開始キーであり、操作者のキー押下は、表示状態に応じて、メニュー選択の決定や印刷の開始トリガとなる。ＣＰＵ３４１は、キーセンサ部３４５を介して、操作者による決定／開始キー４２４に対する操作を認識する。
【００６５】
４２５は停止キーであり、操作者のキー押下は、表示状態に応じて、表示状態の解除や印刷の停止トリガとなる。ＣＰＵ３４１は、キーセンサ部３４５を介して、操作者による決定／開始キー４２５に対する操作を認識する。
【００６６】
図９に示すように、液晶表示部４２１には、不図示のタッチパネルシートが装着されている。ＣＰＵ３４１は、液晶表示部４２１上に仮想キーを構築し、タッチパネルセンサ部３４７を介して、操作者による仮想キーに対する操作を認識する。以下、図９の表示を例にして、仮想キーとその他表示の詳細について説明する。
【００６７】
図９において、５０１はモード表示部であり、５０２はモード内容表示部である。５０３〜５０５は前記モード表示部５０１とモード内容表示部５０２のモードを変更するための、モード変更キーであり、５０３は設定状態モード、５０４は給紙設定モード、５０５は印刷属性設定モードに各々切り替える。
【００６８】
図中の表示例では、設定状態モードになっており、モード内容表示部５０２には、給紙モードが「自動」、用紙サイズが「Ａ４」、印刷属性が「普通紙」であることを表示している。
【００６９】
５１０は状態表示部であり、５１１は詳細状態表示部である。５１２は詳細状態表示の表示項目の制限を緩和するためのスクロールバーである。図中の表示例では、正常な状態であって詳細な状態項目は無い状態である。
【００７０】
図１０は、図１に示したコントローラ部１０３のモジュール構成を説明するブロック図である。
【００７１】
図１０において、増設パネル制御処理モジュールＭ４０１、パネル制御処理モジュール４０２Ｍ、ジョブ制御処理モジュール４０３Ｍ、属性管理処理モジュール４０４Ｍ、状態管理処理モジュール４０５Ｍは、ＣＰＵ３０９を実体とする機能処理単位である。機能処理単位には任意個のタスクが含まれる場合もある。
【００７２】
増設パネル制御処理モジュール４０１Ｍは、汎用外部バスコントローラ３１２を介して増設パネル部１０７とのデータ送受を管理し制御する。
【００７３】
操作者の増設パネル操作による諸々のモード設定、制御指示は、増設パネル部１０７からの制御データとして増設パネル制御処理モジュール４０１Ｍに入力される。増設パネル制御処理モジュール４０１Ｍは、入力に応じて増設パネル部１０７の画面を制御し、また確定した設定項目については、後述する属性管理処理モジュール４０４Ｍに通知する。
【００７４】
増設パネル制御処理モジュール４０１Ｍは、さらに後述する状態管理処理モジュール４０５Ｍからの依頼に応じて、エンジン部１０５の状態や、コントローラ部１０３の状態を、制御データとして増設パネル部１０７に出力する。
【００７５】
パネル制御処理モジュール４０２Ｍは、パネルインタフェース部３０１を介してパネル部１０４とのデータ送受を管理する。
【００７６】
操作者のパネル操作による諸々のモード設定、制御指示は、パネル部１０４からの制御データとしてパネル制御処理モジュール４０２Ｍに入力される。パネル制御処理モジュール４０２Ｍは、入力に応じてパネル部１０４の画面を制御し、また確定した設定項目については、後述する属性管理処理モジュール４０４Ｍに通知する。
【００７７】
パネル制御処理モジュール４０２Ｍにおける処理が、本実施形態の特徴となる制御であり、その詳細については後述する。
【００７８】
ジョブ制御処理モジュール４０３Ｍは、ホストインタフェース部３０２を介して外部機器１０１とのデータ送受を管理し、外部機器１０１から送られるデータを解釈し、ジョブの開始、終了等の制御情報、コピー部数等のジョブ単位の属性情報をＲＡＭ３０７の所定領域に格納し、同時に画像生成に関わるＰＤＬデータをＲＡＭ３０７の所定領域に格納する。
【００７９】
さらに前記格納されたＰＤＬデータを解析し、ページの開始、終了等の制御情報、コピー部数等のページ単位の属性情報をＲＡＭ３０７の所定領域に格納する。同時に画像生成のコマンドを認識解釈して、ページ単位の中間データに変換し、不図示の中間データ格納領域に格納する。
【００８０】
さらに前記中間データをページ単位に展開してバンド単位のイメージデータに変換し、不図示のイメージデータ格納領域に格納する。前記イメージデータを圧縮してページ圧縮データに変換して、ＲＡＭ３０７の所定領域にページ単位に格納する。
【００８１】
さらに、エンジンインタフェース部３０６を介して、エンジン部１０５に対して必要な制御情報を通知し、前記格納された圧縮データをデータ伸長部３０４に指示することで伸長しながら、エンジン部１０５に転送する。以上のようにジョブ単位に印刷の制御を行なう。
【００８２】
属性情報管理処理４０４Ｍモジュールは、ジョブ単位、ページ単位に印刷属性を保持管理し、必要に応じてジョブ制御処理に通知する。この属性項目に、給紙モード、印刷属性がある。
【００８３】
本実施形態においては、給紙モードとして、「自動モード」、「カセット１給紙モード」、「カセット２給紙モード」、「カセット３給紙モード」、「トレイ給紙モード」がある。
【００８４】
ここで、「カセット１給紙モード」は、用紙カセット２１０から給紙して印刷するモードであり、「カセット２給紙モード」は、用紙カセット２８０から給紙して印刷するモードであり、「カセット３給紙モード」は、用紙カセット２８１から給紙して印刷するモードであり、「トレイ給紙モード」は、手差し用トレイ２１９から給紙して印刷するモードであり、「自動モード」は、用紙カセット２１０、用紙カセット２８０、用紙カセット２８１、手差し用トレイ２１９のうちの、サイズの合致するいずれかから給紙して印刷するモードである。
【００８５】
また、印刷属性として、「普通紙モード」、「ＰＨＰモード」、「厚紙モード」がある。
【００８６】
各々のモードは、定着ローラ２１６の温度を各々の紙種に応じて最適に制御するモードである。
【００８７】
状態管理処理モジュール４０５Ｍは、エンジンインタフェース部３０６を介して、エンジン部１０５から送られる状態情報を受け取って管理し、さらにジョブ制御処理モジュール４０３Ｍからジョブの状態情報を受け取って管理する。
【００８８】
この状態管理において、各状態のおおまかな状況を示す主項目と、詳細な状況を示す副項目とに分けて管理する。
【００８９】
例えば、主項目「給紙モード設定モード」、副項目「付随する設定オペレーションの画面」や、主項目「用紙が詰まっている状態」、副項目「カセット１で詰まっている」、副項目「排紙トレイで詰まっている」、副項目「上カバー付近で詰まっている」がある。
【００９０】
主項目と副項目の関連は、項目毎にＲＯＭ３０３の所定の領域に格納されている。
【００９１】
更に状態管理処理モジュール４０５Ｍは、状態変化に応じて増設パネル制御処理モジュール４０１Ｍ、パネル制御処理モジュール４０２Ｍにその変化と内容を通知する。
【００９２】
図１１は、図１に示したパネル部１０４のモジュール構成を説明するブロック図である。
【００９３】
図１１において、制御処理モジュール４２１Ｍは、ＣＰＵ３２１を実体とする機能処理単位である。機能処理単位には任意個のタスクが含まれる場合もある。
【００９４】
制御処理モジュール４２１Ｍは、パネルインタフェース部３２７を介してコントローラ部１０３とのデータ送受を管理する。コントローラ部１０３からの状態、指示は制御データとして制御処理モジュール４２１Ｍに入力される。制御処理モジュール４２１Ｍは、前記入力に応じて、ＬＣＤ制御部３２４に対して所定の表示を行なうように制御する。
【００９５】
一方、操作者のキー操作による諸々のモード設定、制御指示は、キーセンサ部３２５からの制御データとして、制御処理モジュール４２１Ｍに入力される。制御処理モジュール４２１Ｍは、前記入力に応じて、コントローラ部１０３に制御データを送信する。
【００９６】
図１２は、図１に示した増設パネル部１０７のモジュール構成を説明するブロック図である。
【００９７】
図１２において、制御処理モジュール４３１Ｍ、認識処理モジュール４３２Ｍ、表示処理モジュール４３３Ｍは、ＣＰＵ３２１を実体とする機能処理単位である。機能処理単位には任意個のタスクが含まれる場合もある。
【００９８】
認識処理モジュール４３２Ｍは、操作者のキー操作をキーセンサ部３４５から入力し、操作者の仮想キー操作をタッチパネルセンサ部３４７から入力し制御データとして制御処理モジュール４３１Ｍに出力する。表示処理モジュールＭ４３３Ｍは、制御処理モジュール４３１Ｍからの指示に従って、ＲＯＭ３４３に格納された表示用イメージを合成することによって表示画面を構成して液晶制御部３４４に対して表示を行なう。
【００９９】
制御処理モジュール４３１Ｍは、認識処理モジュール４３２Ｍから制御データを受けると、その時点の表示画面に応じて操作者の入力意図を認識し、確定した操作を制御データとして汎用外部バスコントローラ３４８を介してコントローラ部１０３に通知する。
【０１００】
一方、コントローラ部１０３からの制御データに応じて表示処理に対する表示指示を行なう。
【０１０１】
図１３は、本発明に係る画像処理装置における第１のデータ処理手順の一例を示すフローチャートであり、図１０に示したパネル制御処理モジュール４０２Ｍによるパネル表示制御処理手順に対応する。なお、Ｓ１〜Ｓ７は各ステップを示す。
【０１０２】
パネル制御処理モジュール４０２Ｍは、電源投入されると処理が開始され（Ｓ１）、初めに増設パネル部１０７が装着されているか否かを、増設パネル制御処理モジュール４０１Ｍに問い合わせて、その検出結果状態をＲＡＭ３０７の所定領域に記憶する（Ｓ２）。
【０１０３】
次に、コントローラ部１０３の状態と、エンジン部１０５の状態を状態管理処理モジュール４０５Ｍに問い合わせて、その状態の主項目をパネル部１０４に通知し（Ｓ３）、さらに増設パネル部１０７が装着状態であるか否かを判断して（Ｓ４），非装着状態であると判断した場合は、副項目をパネル部１０４に通知する（Ｓ５）。
【０１０４】
一方、ステップＳ４において、増設パネル部１０７が装着状態であると判断した場合は、副項目の通知は行なわずに、ステップＳ６へ進む。
【０１０５】
次に、詳細は後述する状態変化の有無を監視し（Ｓ６）、さらにパネルの入力を監視し（Ｓ７）、ステップＳ６とステップＳ７とそれぞれを所定間隔で繰り返す。
【０１０６】
図１４は、本発明に係る画像処理装置における第２のデータ処理手順の一例を示すフローチャートであり、図１３に示したステップＳ６による状態変化監視処理の詳細手順に対応する。なお、Ｓ１１〜Ｓ１５は各ステップを示す。
【０１０７】
図１３に示したステップＳ６における状態変化監視処理が開始されると、初めに状態管理処理モジュール４０５Ｍにコントローラ部１０３の状態と、エンジン部１０５の状態の変化を問い合わせて、変化があるか否かを判断して（Ｓ１１）、変化があると判断した場合は、その状態の主項目をパネル部１０４に通知し（Ｓ１２）、さらに増設パネル部１０７が装着されているか否かを判断し（Ｓ１３）、非装着であると判断した場合は、副項目をパネル部１０４に通知して（Ｓ１４）、処理を終了する（Ｓ１５）。
【０１０８】
一方、ステップＳ１１において変化無しと判定された場合、または、ステップＳ１３において増設パネル部１０７が装着状態であると判断された場合は、本処理を終了する（Ｓ１５）。
【０１０９】
図１５は、本発明に係る画像処理装置における第３のデータ処理手順の一例を示すフローチャートであり、図１３に示したステップＳ７によるパネル入力監視処理の詳細手順に対応する。なお、Ｓ２１〜Ｓ２４は各ステップを示す。
【０１１０】
図１３に示したステップＳ７において、パネル入力監視が開始されると、初めにパネル部１０４からの入力有無を判定して（Ｓ２１）、パネル入力があると判定した場合は、さらに増設パネル部１０７が装着されているか否かを判断して（Ｓ２２）、非装着であると判断した場合は、入力に応じてパネル部１０４に表示指示をしたり、属性が確定すれば属性管理処理モジュール４０４Ｍへ通知したりといったオペレーション処理又は制御を行い（Ｓ２３）、本処理を終了する（Ｓ２４）。
【０１１１】
一方、ステップＳ２１で、パネル入力がないと判断した場合、または、ステップＳ２２において増設パネル部１０７が装着状態であると判断した場合は、オペレーション処理又は制御を行なわずに、本処理を終了する（Ｓ２４）。
【０１１２】
図１６は、図１に示したパネル部１０４に表示される給紙モード表示状態を説明する図であり、増設パネル部１０７が非装着状態における給紙選択モード表示例に対応する。
【０１１３】
図１６に示すように、パネル部１０４の表示は、給紙モード移行の操作者による給紙モード移行の操作に応じて、図１６の（Ａ）に示すように遷移し、操作者の上下左右キー群４０４の操作によって、図１６の（Ｂ）、図１６の（Ｃ）に示すように選択画面が遷移する。操作者が開始／停止キー４０２を押下することによって、給紙選択が確定する。
【０１１４】
図１７は、図１に示した増設パネル部１０７が装着された場合の給紙選択モード表示画面とパネル部１０４の表示状態を説明する図であり、図１７の（Ａ）は、増設パネル部１０７の表示画面に対応し、図１７の（Ｂ）はパネル部１０４の表示画面に対応する。なお、５０３〜５０５はタブで、現在タブ５０４が選択されて、モード表示部５０１に給紙モード画面５０２が表示され、状態表示部５１０に状態表示画面５１１がカーソル５１２とともに表示された状態に対応する。
【０１１５】
図１７の（Ａ）に示すように増設パネル部１０７のモード表示部５０１は「給紙モード」へ移行し、同時にモード内容表示部５０２は、選択キー６０１〜６０４が表示される。操作者がこれらの選択キー６０１〜６０４を押下することによって給紙選択が確定するように液晶制御部３４４により表示制御されている。
【０１１６】
一方、パネル部１０４は、増設パネル部１０７での表示が有効な場合は、すなわち、増設パネル部１０７が装着状態における給紙選択モードでは、パネル部１０４の表示は図１７の（Ｂ）の内容表示が固定となり、選択キー６０１〜６０４が選択指示されても、何らパネル部１０４に表示遷移は発生しないようにＬＣＤ制御部３２４により表示制御されている。
【０１１７】
図１８は、図１に示したパネル部１０４に表示されるジャム発生表示状態を説明する図であり、増設パネル部１０７が非装着状態におけるジャム発生表示例に対応する。
【０１１８】
図１８に示すように、増設パネル部１０７が非装着状態においては、図１８の（Ａ）〜（Ｃ）に示すように、ジャム状態が一定時間毎に順番にジャム情報（メッセージが）がサイクリックに表示制御される。
【０１１９】
図１９は、図１に示した増設パネル部１０７が装着された場合のジャム発生表示画面とパネル部１０４の表示状態を説明する図であり、図１９の（Ａ）は、増設パネル部１０７の表示画面に対応し、図１９の（Ｂ）はパネル部１０４の表示画面に対応する。なお、図１７と同一のものには同一の符号を付してある。
【０１２０】
増設パネル部１０７が装着された状態でジャムが発生すると、図１９の（Ａ）に示すように増設パネル部１０７の状態表示部５１０は「用紙が詰まりました」状態へ移行し、詳細状態表示部５１１は、「カセット１付近（カセット１）」、「排紙トレイ付近（ハイシトレイ）」、「上カバーを開けた付近（ウエカバー）」の３項目が詳細表示されるように表示制御されている。
【０１２１】
この際、パネル部１０４は、図１９の（Ｂ）に示すジャム発生メッセージが固定表示され、図１９の（Ａ）に示すような詳細状態はメッセージで表示されることはないように表示制御されている。
【０１２２】
以上説明したように、本実施形態によれば増設パネルユニット１０６の装着とともに、既存のパネル部１０４の制御を変更するので、第１に増設パネルユニット１０６の表示を補完する情報のみを表示すること、第２に緊急を要するあるいは重要な状態情報のみ表示すること、第３にパネル部１０４のキー操作を抑制することが実現可能となる。したがって、操作者は、パネル部１０４の表示に左右されずに、増設パネルユニット１０６の表示内容に集中して所望の操作指示が行える。従って、増設パネルユニット１０６が装着された状態で誤ってパネル部１０４を指示してもその指示内容が無効化されるように制御されているため、誤ってパネル部１０４を操作してもその指示が機器に反映されることはなくなる。
【０１２３】
〔第２実施形態〕
図２０は、本発明に係る画像処理装置における第４のデータ処理手順の一例を示すフローチャートであり、図１３に示したステップＳ７の他のパネル入力監視処理手順に対応する。なお、Ｓ３１〜Ｓ３５は各ステップを示す。
【０１２４】
パネル入力監視が開始されると（Ｓ７）、初めにパネル部１０４からの入力有無を判断して（Ｓ３１）、入力を検知したと判断した場合、さらに増設パネル１０７が装着されているかどうかを判断して（Ｓ３２）、非装着であると判断した場合は、入力に応じてパネル部１０４に表示指示をしたり、属性が確定すれば属性管理処理モジュール４０４Ｍへ通知したりといったオペレーション処理又は制御を行い（Ｓ３３）、本処理を終了する（Ｓ３５）。
【０１２５】
一方、ステップＳ３２で、増設パネル１０７が装着されていると判断した場合は、オペレーション処理又は制御を行なわずに、ＬＣＤ制御部３２４がパネル部１０４に対してキー入力が無効である旨を示すメッセージ（図２１参照）を表示して（Ｓ３４）、終了する（Ｓ３５）。
【０１２６】
図２１は、図１に示したパネル部１０４に表示される表示画面の一例を示す図であり、増設パネル部１０７が装着されている場合のメッセージ表示例である。
【０１２７】
図２０に示したステップＳ３４によって指示されることで、ＬＣＤ制御部３２４によりパネル部１０４には、所定時間の間、パネル部１０４の操作指示が無効であることを示す旨のメッセージが表示される。
【０１２８】
以上説明したように、本実施形態によれば、増設パネルユニット１０６の装着とともに、既存のパネル部１０４の制御を変更し、パネル部１０４のキー入力に対応する制御を自在に変更することが可能である。
【０１２９】
〔第３実施形態〕
図２２は、本発明に係る画像処理装置における第５のデータ処理手順の一例を示すフローチャートであり、図１０に示した状態管理処理モジュールＭ４０５による処理手順に対応する。なお、Ｓ４１〜Ｓ４６は各ステップを示す。
【０１３０】
状態管理処理モジュール４０５Ｍは、電源投入されると処理が開始され（Ｓ４１）、初めに増設パネル部１０７が装着されているか否かを、増設パネル制御処理モジュール４０１Ｍに問い合わせて、その状態をＲＡＭ３０７の所定領域に記憶する（Ｓ４２）。
【０１３１】
次に、コントローラ部１０３の状態をジョブ制御処理モジュール４０３Ｍに問い合わせ、更にエンジン部１０５の状態を、エンジンインタフェース部３０６を介して問い合わせ、前回の問い合わせと変化があった場合は、パネル制御処理モジュール４０２Ｍと増設パネル制御処理モジュール４０１Ｍに通知する（Ｓ４４）。
【０１３２】
次に、省電力モードへの移行有無の必要性を確認して（Ｓ４５）、移行の場合は所定の処理を行なう（Ｓ４６）。移行でないと判断した場合は、ステップＳ４３〜ステップＳ４５を所定間隔で繰り返す。
【０１３３】
図２３は、本発明に係る画像処理装置における第６のデータ処理手順の一例を示すフローチャートであり、図２２に示したステップＳ４５における省電力移行監視処理の詳細手順に対応する。なお、Ｓ５１〜Ｓ５６は各ステップを示す。
【０１３４】
先ず、初めに省電力モードへ移行すべきか否かを不図示のタイマ装置から確認し、省電力移行が必要であると判断すると（Ｓ５１）、増設パネル部１０７が装着されていれば（Ｓ５２）、増設パネル部１０７に対して省電力モードへの移行を指示する（Ｓ５３）。それによって増設パネル部１０７は液晶表示を消して、全ＬＥＤを消灯する。
【０１３５】
一方、ステップＳ５２において、増設パネル部１０７が非装着であると判断した場合は、ステップＳ５３の処理は行なわず、ステップＳ５６へ進み処理を終了する。
【０１３６】
ステップＳ５２にて増設パネル部１０７が装着されていると判断した場合は、ステップＳ５４へ進んで、ＥＥＰＲＯＭ３１０の所定領域に格納されている省電力レベルを参照し、「省電力レベル１」である場合は、パネル部１０４へ省電力モードへの移行を指示する（Ｓ５５）。それによってパネル部１０４はＬＣＤ表示を消して、全ＬＥＤを消灯する。
【０１３７】
一方、ステップＳ５４において、「省電力レベル１」以外であれば、ステップＳ５５の処理は行なわず、処理を終了する（Ｓ５６）。そして、ステップＳ５１で、省電力移行が必要無いと判断した場合も、ステップＳ５２〜ステップＳ５５の処理をスキップして処理を終了する（Ｓ５６）。
【０１３８】
なお、ＥＥＰＲＯＭ３１０の所定領域に格納されている省電力レベルは、パネル操作等によって操作者が省電力レベル１と省電力レベル２の切り替えを行なうことが可能である。
【０１３９】
以上説明したように、上記実施形態によれば、省電力モード時に、増設パネルユニット１０６のみを省電力モードにするか、増設パネルユニット１０６とパネル部１０４の両方を省電力モードにするかが選択可能となる。
【０１４０】
〔第４実施形態〕
図２４は、本発明の第４実施形態を示す画像処理システムの一例を示すブロック図であり、図１と同一のものには同一の符号を付してある。
【０１４１】
図２４において、１１０はスキャナユニット、１１１はスキャナコントローラ部で、スキャナユニット１１０の読み取り動作およびスキャナユニット１１０に装着されたスキャナパネル部１１２の表示およびキー入力指示を制御する。
【０１４２】
本実施形態では、スキャナユニット１１０から読み込まれた画像データを、コントローラ部１０３に入力して、エンジン部１０５で印刷を行なうことによって、コピー機能を提供する。
【０１４３】
図２５は、図２４に示したスキャパネル部１１２の構成を説明する図であり、図８と同一のものには同一の符号を付してある。
【０１４４】
図２５において、７０１はコピーキーであり、操作者のキー押下によって、コピー機能を操作するモードへ移行する。７０２はプリンタキーであり、操作者のキー押下によって、プリンタ機能を操作するモードへ移行する。
【０１４５】
このように構成されたスキャナパネル部１１２上のプリンタキー７０２をユーザが押下した状態は、図８の操作部と全く同一の操作と制御が行なわれる。
【０１４６】
以上説明したように、上記実施形態によれば、スキャナユニット等の他のユニット越しにレーザビームプリンタ１０２に接続される構成であっても、なんら変わることは無いことが明らかである。
【０１４７】
以下、図２６に示すメモリマップを参照して本発明に係る画像処理システムで読み取り可能なデータ処理プログラムの構成について説明する。
【０１４８】
図２６は、本発明に係る画像処理システムで読み取り可能な各種データ処理プログラムを格納する記憶媒体のメモリマップを説明する図である。
【０１４９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５１】
本実施形態における図１３〜図１５，図２０，図２２，図２３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５３】
この場合、記憶媒体から読み出されたプログラムコード自体が本発明の新規な機能を実現することになり、そのプログラムコードを記憶した記憶媒体は本発明を構成することになる。
【０１５４】
従って、プログラムの機能を有していれば、オブジェクトコード、インタプリタにより実行されるプログラム、ＯＳに供給するスクリプトデータ等、プログラムの形態を問わない。
【０１５５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５６】
この場合、記憶媒体から読出されたプログラムコード自体が前述した実施形態の機能を実現することになり、そのプログラムコードを記憶した記憶媒体は本発明を構成することになる。
【０１５７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６１】
本発明は上記実施形態に限定されるものではなく、本発明の趣旨に基づき種々の変形（各実施形態の有機的な組合せを含む）が可能であり、それらを本発明の範囲から排除するものではない。
【０１６２】
本発明の様々な例と実施形態を示して説明したが、当業者であれば、本発明の趣旨と範囲は、本明細書内の特定の説明に限定されるものではない。
【０１６３】
なお、本発明は、上記した実施形態に限定されるものではなく、本発明の要旨を逸脱しない範囲内において種々変更を加え得ることは勿論である。
【０１６４】
上記実施形態によれば、操作ユニットの拡張時に、既存操作機能の制御を変更可能となるので、第１に操作ユニットの表示機能を補完する情報のみを表示すること、第２に緊急を要するあるいは重要な状態情報のみ表示すること、第３に既存操作機能の操作を抑制すること、第４に既存操作機能の操作に対応する制御を変えること、第５に省電力モード時に、操作ユニットのみを省電力モードにすること等が可能となる。
【０１６５】
さらに、機能ユニット拡張（アップグレード）時に、既存ユニットを有効に活用すること、新規装着ユニットの役割をダブらせ既存ユニットを無駄にしないこと、また、既存ユニットを取り外しせずに有効活用することも可能となる。
【図面の簡単な説明】
【０１６６】
【図１】本発明の第１実施形態を示す画像処理装置を適用可能な画像処理システムの構成を説明するブロック図である。
【図２】図１に示したエンジン部の構成を説明する概略断面図である。
【図３】図１に示したプリンタコントローラ部の構成を説明するブロック図である。
【図４】図１に示したパネル部の制御構成を説明するブロック図である。
【図５】図１示した増設パネル部の制御構成を説明するブロック図である。
【図６】図１に示したパネル部の一例を示す平面図である。
【図７】図６に示したパネル部の要部拡大平面図である。
【図８】図１に示した増設パネル部の要部を説明する平面図である。
【図９】図８に示した液晶表示部に表示されるＵＩの一例を示す図である。
【図１０】図１に示したコントローラ部のモジュール構成を説明するブロック図である。
【図１１】図１に示したパネル部のモジュール構成を説明するブロック図である。
【図１２】図１に示した増設パネル部のモジュール構成を説明するブロック図である。
【図１３】本発明に係る画像処理装置における第１のデータ処理手順の一例を示すフローチャートである。
【図１４】本発明に係る画像処理装置における第２のデータ処理手順の一例を示すフローチャートである。
【図１５】本発明に係る画像処理装置における第３のデータ処理手順の一例を示すフローチャートである。
【図１６】図１に示したパネル部に表示される給紙モード表示状態を説明する図である。
【図１７】図１に示した増設パネル部が装着された場合の給紙選択モード表示画面とパネル部の表示状態を説明する図である。
【図１８】図１に示したパネル部に表示されるジャム発生表示状態を説明する図である。
【図１９】図１に示した増設パネル部が装着された場合のジャム発生表示画面とパネル部の表示状態を説明する図である。
【図２０】本発明に係る画像処理装置における第４のデータ処理手順の一例を示すフローチャートである。
【図２１】図１に示したパネル部に表示される表示画面の一例を示す図である。
【図２２】本発明に係る画像処理装置における第５のデータ処理手順の一例を示すフローチャートである。
【図２３】本発明に係る画像処理装置における第６のデータ処理手順の一例を示すフローチャートである。
【図２４】本発明の第４実施形態を示す画像処理システムの一例を示すブロック図である。
【図２５】図２４に示したスキャパネル部の構成を説明する図である。
【図２６】本発明に係る画像処理システムで読み取り可能な各種データ処理プログラムを格納する記憶媒体のメモリマップを説明する図である。
【符号の説明】
【０１６７】
１０４    パネル部
１０７    増設パネル部
４０１Ｍ    増設パネル制御処理モジュール
４０２Ｍ    パネル制御処理モジュール
４０３Ｍ    ジョブ制御処理モジュール
４０４Ｍ    属性管理処理モジュール
４０５Ｍ    状態管理処理モジュール
【図１】
2005262792.tif 000003
【図２】
2005262792.tif 000004
【図３】
2005262792.tif 000005
【図４】
2005262792.tif 000006
【図５】
2005262792.tif 000007
【図６】
2005262792.tif 000008
【図７】
2005262792.tif 000009
【図８】
2005262792.tif 000010
【図９】
2005262792.tif 000011
【図１０】
2005262792.tif 000012
【図１１】
2005262792.tif 000013
【図１２】
2005262792.tif 000014
【図１３】
2005262792.tif 000015
【図１４】
2005262792.tif 000016
【図１５】
2005262792.tif 000017
【図１６】
2005262792.tif 000018
【図１７】
2005262792.tif 000019
【図１８】
2005262792.tif 000020
【図１９】
2005262792.tif 000021
【図２０】
2005262792.tif 000022
【図２１】
2005262792.tif 000023
【図２２】
2005262792.tif 000024
【図２３】
2005262792.tif 000025
【図２４】
2005262792.tif 000026
【図２５】
2005262792.tif 000027
【図２６】
2005262792.tif 000028